(57)【要約】      （修正有）【課題】人間工学的な観点から改良を加えた弦楽器用肩当てを提供する。【解決手段】両端が第１の連接部２１１１と第１の突合せ部２１１２を各々有する担持片２１１を備え、第１の連接部２１１１が少なくとも１個の第１のアジャスター２１２と連接し、第１の突合せ部２１１２が少なくとも１個の第２のアジャスター２１３と連接する第１の本体２１と、第１面２２１と第２面２２２を備え、第１面２２１と第１の本体２１が対向して貼り合せる第２の本体２２と、で構成する。【選択図】図２
0003196666.tif 000002
【実用新案登録請求の範囲】
【請求項１】
両端に第１の連接部と第１の突合せ部を各々有する担持片を備え、前記担持片の前記第１の連接部には少なくとも１個の第１のアジャスターが順次連結され、前記第１の突合せ部には少なくとも１個の第２のアジャスターが順次連結された第１の本体と、
第１面と第２面を有し、前記第１面には前記第１の本体が対向して接合された可撓性の第２の本体と、
を含むことを特徴とする弦楽器用肩当て。
【請求項２】
第３のアジャスターと第４のアジャスターを更に備え、前記第３のアジャスターは、前記第１のアジャスターのうち末端のものと互いに連結され、前記第４のアジャスターは、前記第２のアジャスターのうち末端のものと互いに連結されたことを特徴とする請求項１に記載の弦楽器用肩当て。
【請求項３】
前記第１のアジャスターの両端は、第２の連接部と第２の突合せ部とを各々備え、前記担持片の前記第１の連接部と前記第１のアジャスターの前記第２の突合せ部とが互いに係合し、前記第２のアジャスターの両端は、第３の連接部と第３の突合せ部を各々備え、前記担持片の前記第１の突合せ部と前記第２のアジャスターの前記第３の連接部が互いに係合することを特徴とする請求項２に記載の弦楽器用肩当て。
【請求項４】
前記第３のアジャスターの一端が、前記末端の第１のアジャスターの前記第２の連接部と互いに係合する第４の突合せ部を備え、前記第４のアジャスターの一端が、前記末端の第２のアジャスターの前記第３の突合せ部と互いに係合する第４の連接部を備えることを特徴とする請求項３に記載の弦楽器用肩当て。
【請求項５】
前記担持片の前記第１の連接部と前記第１のアジャスターの前記第２の突合せ部の連接箇所、及び、前記担持片の前記第１の突合せ部と前記第２のアジャスターの前記第３の連接部の連接箇所を、それぞれ貫通する複数の連結部材を更に備えることを特徴とする請求項４に記載の弦楽器用肩当て。
【請求項６】
前記末端の第１のアジャスターの前記第２の連接部と前記第３のアジャスターの第４の突合せ部の連接箇所、及び、前記末端の第２のアジャスターの前記第３の突合せ部と前記第４のアジャスターの第４の連接部の連接箇所を、それぞれ貫通する複数の連結部材を更に備えることを特徴とする請求項４に記載の弦楽器肩用当て。
【請求項７】
前記第１の本体と第２の本体の材質は、金属或いは非金属材料のうちのいずれかとすることができることを特徴とする請求項１に記載の弦楽器用肩当て。
【考案の詳細な説明】
【技術分野】
【０００１】
本考案は、弦楽器の使用時に用いる肩当ての人間工学的な改良に関し、特に、弦楽器の練習時等における快適性を増進できる弦楽器用肩当てに関する。
【背景技術】
【０００２】
現在よく見られるヴィオラ、ヴァイオリン等の弦楽器の使用に供する肩当てには、２つの働きがあり、そのうちの１つは、楽器を構える姿勢を改善できることである。即ち、首の長さは人によって異なるため、顎から鎖骨部位までの距離が、楽器の厚さに顎当ての厚さを加えた高さよりも大きい人は、弦楽器を最も快適な位置に挟んで保持しようとする場合、少し肩を上げたり、或いは頭を左側に向けたり、或は頭を傾けたりする必要があり、いずれの場合にも、肩、首部位の緊張が起き、その姿勢を長時間保持すると、職業病に罹りやすくなるため、肩当てにはこの問題を改善できる働きがある。
【０００３】
次に、ヴィオラ、ヴァイオリン等の弦楽器は、その最も高価な１枚が裏板であり、この裏板の縞模様、産地等は弦楽器の価値を決定するキーポイントであると同時に、弦楽器の音色を決定するキーポイントでもある。肩当てを使用せずにこれらの弦楽器を弾く場合、肩を直接裏板に当て、肩と顎で同時に力を入れて弦楽器を挟んで保持することから、裏板の振動も制限されることになる。肩当てを使用した場合、肩当ての２つの脚部が安定して裏板の周縁部を挟むことで、弦楽器の裏板全体を肩から浮かせ、そうすることで裏板を十分振動させて共鳴の作用を持たせることができる。これが、肩当てのもう１つの働きである。
【０００４】
特許文献１の「弦楽器用肩当て」においては、添付した図１に示すように、主に円弧状曲面を備えた肩当て１１を奏者の肩に置くようになっており、該肩当て１１の上面にアジャスター１２が各々設けられている。アジャスター１２を利用して角度上の調整を行うことができるが、該肩当て１１が比較的重い材料で作製され、柔軟性も悪く、また肩に置く時の角度に制限があるため、演奏時の音の響きが悪く、弦楽器本体の両端をアジャスター１２の上に固定する際に、弦楽器本体を強く締め付けると、その圧力が比較的大きいことにより共鳴音が弱くなり、共鳴効果が減退する。また、角度調整のため弦楽器が斜めに傾きやすく、肩当て１１とヴィオラ、ヴァイオリン等が接触する際、摩擦により塗装の剥がれが生じやすく、音質にも影響を及ぼしやすい。
【０００５】
また、ヴァイオリン等の練習時には、練習生の首にヴァイオリンの尾部を当接させ、一方の手でヴァイオリンのネック部を保持し、他方の手で弓を持って演奏するが、従来の弦楽器用肩当ての上記のような構造では、長期間に亘り頭を片方に傾け続けることにより、練習生の首や肩に疲労を起こしやすく、ヴァイオリン練習のための有効な時間の損失と練習の質に悪影響を及ぼす可能性がある。
【０００６】
以上の如く、従来の弦楽器用肩当ては、次のような欠点を有する。
１．練習生の首や肩が疲労しやすい。
２．そのため弦楽器練習の有効な時間が失われ、練習の質も低下する。
３．肩当ての長さや高さを自由に調整できない。
４．弦楽器の音質に悪影響を及ぼす。
【０００７】
よって、如何にして上記従来技術の問題点と欠陥を解決するかが、本願の考案者と当業者が研究改善すべき課題となっている。
【先行技術文献】
【特許文献】
【０００８】
【特許文献１】台湾実用新案公告第Ｍ２５０２７４号
【考案の概要】
【考案が解決しようとする課題】
【０００９】
上記の問題点を解決するため、本考案の主な目的は、人間工学的な改良を行うことで、弦楽器の練習時における快適性を大幅に増進することのできる弦楽器用肩当てを提供することである。
【００１０】
本考案の副次的な目的は、弦楽器練習時の有効な時間及び質を大幅に向上できる弦楽器用肩当てを提供することである。
【００１１】
本考案の副次的な目的は、人体の肩のカーブに合せて肩当ての長さを調整できる弦楽器用肩当てを提供することである。
【００１２】
本考案の副次的な目的は、音質をアップできる弦楽器用肩当てを提供することである。
【課題を解決するための手段】
【００１３】
上記目的を達成するため、本考案に係る弦楽器用肩当ては、両端に第１の連接部と第１の突合せ部を各々有する担持片を備え、前記担持片の前記第１の連接部には少なくとも１個の第１のアジャスターが順次連結され、前記第１の突合せ部には少なくとも１個の第２のアジャスターが順次連結された第１の本体と、第１面と第２面を有し、前記第１面には前記第１の本体が対向して接合された可撓性材質の第２の本体と、を含むことを特徴とする。
【００１４】
本考案の望ましい実施例においては、第３のアジャスターと第４のアジャスターを更に備え、前記第３のアジャスターは、前記第１のアジャスターのうち末端のものと互いに連結され、前記第４のアジャスターは、前記第２のアジャスターのうち末端のものと互いに連結されたことを特徴とする。
【００１５】
本考案の望ましい実施例においては、前記第１のアジャスターの両端は、第２の連接部と第２の突合せ部とを各々備え、前記担持片の前記第１の連接部と前記第１のアジャスターの前記第２の突合せ部とが互いに係合し、前記第２のアジャスターの両端は、第３の連接部と第３の突合せ部を各々備え、前記担持片の前記第１の突合せ部と前記第２のアジャスターの前記第３の連接部が互いに係合することを特徴とする。
【００１６】
本考案の望ましい実施例においては、前記第３のアジャスターの一端が、前記末端の第１のアジャスターの前記第２の連接部と互いに係合する第４の突合せ部を備え、前記第４のアジャスターの一端が、前記末端の第２のアジャスターの前記第３の突合せ部と互いに係合する第４の連接部を備えることを特徴とする。
【００１７】
本考案の望ましい実施例においては、前記担持片の前記第１の連接部と前記第１のアジャスターの前記第２の突合せ部の連接箇所、及び、前記担持片の前記第１の突合せ部と前記第２のアジャスターの前記第３の連接部の連接箇所を、それぞれ貫通する複数の連結部材を更に備えることを特徴とする。
【００１８】
本考案の望ましい実施例においては、前記末端の第１のアジャスターの前記第２の連接部と前記第３のアジャスターの第４の突合せ部の連接箇所、及び、前記末端の第２のアジャスターの前記第３の突合せ部と前記第４のアジャスターの第４の連接部の連接箇所を、それぞれ貫通する複数の連結部材を更に備えることを特徴とする。
【００１９】
そして、本考案の望ましい実施例においては、前記第１の本体と第２の本体の材質は、金属或は非金属材料のうちのいずれかとすることができることを特徴とする。
【考案の効果】
【００２０】
本考案に係る弦楽器用肩当ては、前記の如き構造を有し、練習生等がこれを利用する際には、該肩当てが可撓性を有するため、個人差のある練習生の肩のライン弧度の差異に応じて肩当ての調整を行うことができる。このように、本考案の弦楽器用肩当ては人間工学に適合しているため、練習生は長時間頭を傾けたり、肩を持ち上げたりすることによる不快感や疲労から解放されると共に、弦楽器練習のための有効な時間を延長でき、また弦楽器練習の質を向上させ、弦楽器の音質をアップできる効果も奏し得る。
【図面の簡単な説明】
【００２１】
【図１】従来の弦楽器用肩当ての断面図である。
【図２】本考案に係る弦楽器用肩当ての実施例１の立体分解図である。
【図３】本考案に係る弦楽器用肩当ての実施例１の立体組立図である。
【図４】本考案に係る弦楽器用肩当ての実施例１の立体組立図である。
【図５】本考案に係る弦楽器用肩当ての実施例１の使用状態を示す説明図である。
【図６】本考案に係る弦楽器用肩当ての実施例１の使用状態を示す説明図である。
【図７】本考案に係る弦楽器用肩当ての実施例２の立体分解図である。
【図８】本考案に係る弦楽器用肩当ての実施例２の立体組立図である。
【図９】本考案に係る弦楽器用肩当ての実施例２の立体組立図である。
【考案を実施するための形態】
【００２２】
本考案の目的及びその構造と機能上の特性を十分理解可能なよう、以下、添付図面の好ましい実施例に基づき、本考案を詳細に説明する。
【実施例１】
【００２３】
図２及び図３を参照すると、これらの図面には、本考案に係る弦楽器用肩当ての実施例１の立体分解図及び立体組立図が示されている。図に示すように、弦楽器用肩当て２は、第１の本体２１と第２の本体２２とを備える。第１の本体２１は、弦楽器を載せるための、両端に第１の連接部２１１１と第１の突合せ部２１１２とを各々有する担持片２１１を備えている。該第１の連接部２１１１側には、１個又はそれ以上の第１のアジャスター２１２が順次連接され、また、該第１の突合せ部２１１２側には、１個又はそれ以上の第２のアジャスター２１３が順次連接される。第２の本体２２は、第１面２２１と第２面２２２を備え、該第１面２２１は前記第１の本体２１に対向させて貼り合せられる。
【００２４】
前記第１の本体２１と第２の本体２２の材質は、金属或いは非金属材料（例えば合成樹脂）のうちのいずれかとすることができる。なお、少なくとも前記第２の本体２２については、可撓性の材質のものを用いる。
【００２５】
前記第１の本体２１と第２の本体２２の貼り合わせ手段としては、前記第１の本体２１と第２の本体２２のいずれもが金属である場合には、スポット溶接等を用いることができるが、材質と関係なく、接着剤を用いたり、両面接着テープを用いることも可能である。
【００２６】
前記第１のアジャスター２１２の両端は、第２の連接部２１２１と第２の突合せ部２１２２とを各々備え、前記第１の連接部２１１１と該第２の突合せ部２１２２が互いに係合する。前記第２のアジャスター２１３の両端は、第３の連接部２１３１と第３の突合せ部２１３２を各々備え、前記第１の突合せ部２１１２と該第３の連接部２１３１が互いに係合する。前記第１のアジャスター２１２は、同一の形状、サイズのものを１個ないし複数個（図示した実施例１では３個）設けることができ、前記第２のアジャスター２１３についても同様である。また、図示した実施例においては、担持片２１１のサイズは、第１のアジャスター２１２や第２のアジャスター２１３のサイズよりも大きくしてあるが、これらをすべて同一サイズとしてもよい。
【００２７】
図示した実施例における前記第１の本体２１は、第３のアジャスター２１４と第４のアジャスター２１５を更に備える。該第３のアジャスター２１４は、前記担持片２１１の第１の連接部２１１１に順次連結された少なくとも１個の第１のアジャスター２１２のうち末端のものに連結される。そのため、前記第３のアジャスター２１４の一端には、前記末端の第１のアジャスター２１２の第２の連接部２１２１と互いに係合する第４の突合せ部２１４１が備えられる。
【００２８】
同様に、前記第４のアジャスター２１５は、前記担持片２１１の第１の突合せ部２１１２に順次連結された少なくとも１個の第２のアジャスター２１３のうち末端のものに連結される。そのため、前記第４のアジャスター２１５の一端には、前記末端の第２のアジャスター２１３の第３の突合せ部２１３２と互いに係合する第４の連接部２１５１が備えられる。
【００２９】
図４は本考案の実施例１の立体組立図であり、図５はその使用状態を示す説明図であり、図６もその使用状態を示す説明図である。本考案の弦楽器用肩当ては、練習生の弦楽器練習時に、まず該肩当て２と挟持装置３の一端が相互に結合され、該挟持装置３の他端で弦楽器を挟持し、弦楽器、挟持装置３、肩当て２の組み立てが完了し、練習生の顎と、肩上に置いた本考案に係る肩当てとで弦楽器を挟んで保持し、一方の手でその弦楽器のネック部を持ち、他方の手で弓を持って弾く。このとき、該肩当て２の第２の本体２２が可撓性を有するため、前記第１の連接部２１１１に前記第１のアジャスター２１２が連接され、第１の突合せ部２１１２に前記第２のアジャスター２１３が連接され、前記第３のアジャスター２１３に該第１のアジャスター２１２が連接され、前記第４のアジャスター２１５に該第２のアジャスター２１３が連接されることで、前記第１の本体２１に一節一節の態様が形成されて可撓性の機能が達成され、さらに前記第１の本体２１と第２の本体２２が相互に貼り合せられる。このように、個人差のある練習生の肩のライン弧度の差異に応じて肩当ての調整を行うことができる。その調整方法は各練習生の肩のライン弧度の変化に基づいて前記第１の本体２１と第２の本体２２を同時に肩のライン弧度に沿って該練習生の肩上に貼付させ、前記第２の本体２２の第２面２２２が肩と接触するよう肩に載せることで、練習生が弦楽器を顎と肩の間に挟んで保持する時に最も快適な位置に安定して保持することができ、また、その貼付方向は練習生の好みまたは使用上の必要に応じて、肩に対して縦方向または横方向に、肩上に貼付させることができ、本実施例において、該肩当て２は肩に対して縦方向に、肩上に貼付されているものを以って説明する（図６に示す）。このように、本考案の弦楽器用肩当ては人間工学に適合しているため、練習生は長時間頭を傾けすぎたり、肩を持ち上げたりすることによる不快感や疲労から解放されると共に、肩をリラックスさせ、弦楽器を構える姿勢を正確に保つことで、弦楽器練習のための有効な時間を延長でき、また弦楽器練習の質を向上させ、弦楽器の音質をアップできる効果も奏する。
【００３０】
また、前記第１の本体の構造は一節一節の態様であるため、相互に着脱可能であり、これにより練習生の肩のライン弧度または大きさに合わせてその長さを調整することができる。
【実施例２】
【００３１】
次に図７乃至図９を参照すると、図７は本考案に係る弦楽器用肩当ての実施例２の立体分解図であり、図８及び図９はその立体組立図である。前記弦楽器用肩当ての一部構成要素及び構成要素間の対応関係は、前記実施例１の弦楽器用肩当てと同様であるため、それらについては同一の指示記号を付すると共に、ここでは詳細な記述を省略する。ただし、本実施例２の弦楽器用肩当てと前記実施例１との最も主要な相違点は、前記第１の連接部２１１１と第２の突合せ部２１２２の連接箇所、及び、前記第１の突合せ部２１１２と第３の連接部２１３１の連接箇所を貫通する連結部材２３（図示した例ではピン状のものであるが、これに限定されない。）を更に有する点である。同様の連結部材２３は、複数の第１のアジャスター２１２，２１２間の連結、及び、複数の第２のアジャスター２１３，２１３間の連結にも用いられる。さらにまた、前記末端の第１のアジャスター２１２の第２の連接部２１２１と前記第３のアジャスター２１４の第４の突合せ部２１４１の連接箇所、及び、前記末端の第２のアジャスター２１３の第３の突合せ部２１３２と前記第４のアジャスター２１５の第４の連接部２１５１の連接箇所を貫通するように、連結部材２３が備える。この実施例２の弦楽器用肩当て２においても前記実施例１と同様に、練習生の弦楽器練習時に、練習生の顎と、肩上に置いた肩当てとで弦楽器を挟んで保持し、一方の手でその弦楽器のネック部を持ち、他方の手で弓を持って弾く。このとき、該肩当て２の第２の本体２２が可撓性を有するため、異なる練習生の肩のライン弧度の差異に応じて肩当ての調整を行うことができ、その調整方法は、各練習生の方のライン弧度の変化に合わせて前記第１の本体２１と第２の本体２２を同時に肩のライン弧度に沿って該練習生の肩上に貼付させ、前記第２の本体２２の第２面２２２が肩と接触するよう肩に載せることで、練習生が弦楽器を顎と肩の間に挟んで保持する時に最も快適な状態にすることができる。このように、本考案の弦楽器用肩当ては人間工学に適合しているため、練習生は長時間頭を傾けすぎたり、肩を持ち上げたりすることによる不快感や疲労から解放されると共に、肩をリラックスさせ、弦楽器を構える姿勢を正確に保つことで、弦楽器練習のために有効な時間を延長でき、また弦楽器練習の質を向上させ、弦楽器の音質をアップできる効果も奏する。
【００３２】
以上に述べたように、本考案は従来の技術に比べて以下の利点を有し、前記した通りの効果を達成し得る。
１．人間工学に適合することで、弦楽器練習時の快適性を大幅に増進できる。
２．弦楽器練習の有効な時間の大幅な増加と、練習の質の大幅な向上を実現し得る。
３．可撓性を持ち、且つ人体の肩のカーブに応じて肩当ての長さを調整できる。
４．音質をアップできる。
【００３３】
以上に述べたものは、あくまでも本考案の好ましい実施例であって、本考案はこのような具体例のみに限定されて狭義的に解釈されるべきものではなく、本考案の特許の請求範囲に記載される形状、構造、特徴及び精神に基づいて行われる種々の変更、修正、改良等は、本考案の特許の請求範囲内に含まれるものである。
【産業上の利用可能性】
【００３４】
本考案は以上のように構成したので、ビオラやバイオリンなどの弦楽器を演奏する際に、本考案に係る肩当を用い、演奏者の個々の首の長さに対応して肩の高さを調節することができることから、弦楽器を演奏しやすくする肩当てとして好適に用いられるものである。
【符号の説明】
【００３５】
１１      肩当て
１２      アジャスター
２        肩当て
２１      第１の本体
２１１    担持片
２１１１  第１の連接部
２１１２  第１の突合せ部
２１２    第１のアジャスター
２１２１  第２の連接部
２１２２  第２の突合せ部
２１３    第２のアジャスター
２１３１  第３の連接部
２１３２  第３の突合せ部
２１４    第３のアジャスター
２１４１  第４の突合せ部
２１５    第４のアジャスター
２１５１  第４の連接部
２２      第２の本体
２２１    第１面
２２２    第２面
２３      連結部材
３        挟持装置
【図１】
0003196666.tif 000003
【図２】
0003196666.tif 000004
【図３】
0003196666.tif 000005
【図４】
0003196666.tif 000006
【図５】
0003196666.tif 000007
【図６】
0003196666.tif 000008
【図７】
0003196666.tif 000009
【図８】
0003196666.tif 000010
【図９】
0003196666.tif 000011